(57)【要約】【課題】エクステンションユニット付きサンバイザにおいて、エクステンションプレートを引き出した際、エクステンションプレート上縁側上方の隙間をなくし、遮光面積を拡大できるエクステンションユニット付きサンバイザを提供する。【解決手段】エクステンションプレート３２の背面側にサブプレート３３を回動自在に組み付け、エクステンションプレート３２、サブプレート３３を引き出し自在にケース３１内に収納するとともに、下面側ケース３１ｂに設けたガイドピン３５をサブプレート３３に設けた送り孔３６内に摺動させ、送り孔３６の後端側に設けた傾斜カム部３６ａ内にガイドピン３５を移動させることで、エクステンションプレート３２の引き出し操作と連動してサブプレート３３をエクステンションプレート３２の上縁側から外方にはみ出すように回動させて遮光面積の拡大を図る。【選択図】  図８
2004161149.tif 000002
【特許請求の範囲】
【請求項１】
所望の遮光面積を有するサンバイザ本体（２０）に内装されたエクステンションユニット（３０）からエクステンションプレート（３２）を引き出すことにより、遮光範囲を拡大できるようにしたエクステンションユニット付きサンバイザ（１０）であって、
前記エクステンションユニット（３０）は、ケース（３１）内に引き出し自在にエクステンションプレート（３２）が収容されるとともに、このエクステンションプレート（３２）の一面にサブプレート（３３）が回動可能に支持され、ケース（３１）からエクステンションプレート（３２）を引き出し操作した際、エクステンションプレート（３２）とサブプレート（３３）とが一体に外方に引き出されるとともに、エクステンションプレート（３２）の引き出し終了間際にケース（３１）の内面に設けたガイドピン（３５）がサブプレート（３３）に設けた送り孔（３６）の傾斜カム部（３６ａ）に摺接することで、サブプレート（３３）がエクステンションプレート（３２）の上縁部から上方部分に向けて立ち上がり、遮光範囲を拡大できることを特徴とするエクステンションユニット付きサンバイザ。
【請求項２】
前記サブプレート（３３）に設けられる送り孔（３６）の端末部の少なくとも一方側には、ガイドピン（３５）を保持する突片（３６ｄ）が設けられていることを特徴とする請求項１に記載のエクステンションユニット付きサンバイザ。
【請求項３】
前記サブプレート（３３）の裏面には、送り孔（３６）と連通するガイド溝部（３８）が後部端末側に向けて設けられ、このガイド溝部（３８）を通してガイドピン（３５）をサブプレート（３３）の送り孔（３６）内に挿入操作することにより、サンバイザ本体（２０）に予め組み込んだケース（３１）内にエクステンションプレート（３２）とサブプレート（３３）とを挿入可能としたことを特徴とする請求項１又は２に記載のエクステンションユニット付きサンバイザ。
【請求項４】
前記ケース（３１）の内面に突設されるガイドピン（３５）の前面側には傾斜面（３５ａ）が設けられていることにより、ケース（３１）内にエクステンションプレート（３２）及びサブプレート（３３）を挿入する際、サブプレート（３３）のガイド溝部（３８）をガイドピン（３５）が円滑に通過できるようにしたことを特徴とする請求項３に記載のエクステンションユニット付きサンバイザ。
【請求項５】
前記サブプレート（３３）におけるガイド溝部（３８）の送り孔（３６）側端末には、送り孔（３６）からガイドピン（３５）が脱落するのを規制する折曲片（３９）が設けられていることを特徴とする請求項３又は４に記載のエクステンションユニット付きサンバイザ。
【請求項６】
前記折曲片（３９）並びにガイドピン（３５）の少なくとも一方は、ケース（３１）内にサブプレート（３３）を挿入する際、撓み変形可能に構成されていることを特徴とする請求項５に記載のエクステンションユニット付きサンバイザ。
【発明の詳細な説明】
【０００１】
【発明の属する技術分野】
この発明は、遮光面積を拡大できるエクステンションユニット付きサンバイザに係り、特に、エクステンションプレートを引き出した際、エクステンションプレートと天井との間の隙間を有効に遮蔽できるエクステンションユニット付きサンバイザに関する。
【０００２】
【従来の技術】
通常、車両の運転席及び助手席側の斜め上方には、太陽光線や夜間対向車のライト等を有効に遮蔽できるように車両用サンバイザが設けられている。
【０００３】
ところで、最近では、天井面にコンパクトに格納できるとともに、特に、サイドウインドウ越しの太陽光線を遮蔽する際に、広い遮光面積を確保できるように、図２０に示すエクステンションユニット付きサンバイザ１が多用される傾向にある。
【０００４】
上記エクステンションユニット付きサンバイザ１は、所望の遮光面積を有するサンバイザ本体２が回動用シャフト２ａに回動自在に支承され、この回動用シャフト２ａは、ブラケット２ｂを介して車体側に取り付けられている。
【０００５】
従って、サンバイザ本体２は、回動用シャフト２ａ廻りに上下方向に回動操作できるとともに、ブラケット２ｂ廻りに回動用シャフト２ａを回動操作することにより、左右方向に回動可能であり、フロントウインドウはもとより、サイドウインドウ側からも遮蔽が可能である。尚、図２０はサンバイザ本体２をサイドウインドウ側に回動操作した状態のエクステンションユニット付きサンバイザ１を車室内側からみた正面図である。
【０００６】
次いで、上記エクステンションユニット３は、サンバイザ本体２に内装される偏平状のケース４内にエクステンションプレート５が引き出し自在に収容されており、図２１に示すように、ケース４の開口４ａからサンバイザ本体２の長手方向に沿ってエクステンションプレート５を引き出して、遮光面積を拡大するようにしている（例えば、特許文献１参照。）。
【０００７】
【特許文献１】
特開平７−３０９１３２号公報（第２頁、図１）
【０００８】
【発明が解決しようとする課題】
このように、従来のエクステンションユニット付きサンバイザ１は、サイドウインドウ側に展開操作した後、サンバイザ本体２に格納されているエクステンションユニット３のエクステンションプレート５を開口４ａから外側に引き出し、図２１に示すように、サンバイザ本体２の遮光面積に対してエクステンションプレート５の遮光面積を付加することで、トータルとしての遮光面積を拡大するというものであるが、図示するように、サンバイザ本体２の縦幅（図中ａで示す）に対して、エクステンションプレート５の縦幅（図中ｂで示す）が短寸であるため、図中ｃで示す寸法分のスキが生じ、このスキを通して直射日光がサイドウインドウ越しに入射することで、充分な遮蔽効果を確保できるとは言い難いものであった。
【０００９】
この発明は、このような事情に鑑みてなされたもので、エクステンションユニット付きサンバイザにおいて、エクステンションプレートの幅寸法の制約を解消でき、遮光面積を拡大して、乗員の安全走行に大きく貢献できるエクステンションユニット付きサンバイザを提供することを目的とする。
【００１０】
更に、この発明は、エクステンションユニット付きサンバイザにおいて、サンバイザ本体へのエクステンションユニットの組み付けが簡単かつ円滑に行なえ、製作コストを低減化できるとともに、組み付け作業性を高めたエクステンションユニット付きサンバイザを提供することを更なる目的とする。
【００１１】
【課題を解決するための手段】
上記目的を達成するために、本願発明は、所望の遮光面積を有するサンバイザ本体に内装されたエクステンションユニットからエクステンションプレートを引き出すことにより、遮光範囲を拡大できるようにしたエクステンションユニット付きサンバイザであって、前記エクステンションユニットは、ケース内に引き出し自在にエクステンションプレートが収容されるとともに、このエクステンションプレートの一面にサブプレートが回動可能に支持され、ケースからエクステンションプレートを引き出し操作した際、エクステンションプレートとサブプレートとが一体に外方に引き出されるとともに、エクステンションプレートの引き出し終了間際にケースの内面に設けたガイドピンがサブプレートに設けた送り孔の傾斜カム部に摺接することで、サブプレートがエクステンションプレートの上縁部から上方部分に向けて立ち上がり、遮光範囲を拡大できることを特徴とする。
【００１２】
ここで、サンバイザ本体は、サンバイザコアの外表面をサンバイザ表皮により被包して構成され、サンバイザコアとしては、射出成形体からなる中空芯材や、フレーム状のワイヤフレームをインサートした発泡ビーズ成形体等が使用できる。
【００１３】
次いで、サンバイザ本体内部に装着されるエクステンションユニットは、ケースとケース内に引き出し可能に収納されるエクステンションプレート並びにエクステンションプレートの一面（裏面）に回動可能に支持され、エクステンションプレートの引き出し途中まではエクステンションプレートと一体にスライドし、エクステンションプレートの引き出し完了前にエクステンションプレートの引き出し操作に連動して上方に立ち上がるサブプレートから構成されている。
【００１４】
上記ケース、エクステンションプレート及びサブプレートは、ＰＰ（ポリプロピレン）樹脂等の合成樹脂の射出成形体から構成されている。
【００１５】
例えば、エクステンションプレートの一面（裏面）側にサブプレートが重ね合わされ、エクステンションプレートの孔内にサブプレートの軸支ピンを挿入することで、サブプレートはエクステンションプレートの裏面側に回動可能に支持される。更にケースの内面に突設したガイドピンがサブプレートの長手方向に沿って略水平に開設されている送り孔に開設され、このガイドピンはエクステンションプレート及びサブプレートの引き出し操作時にサブプレートの送り孔に沿って摺接し、送り孔の後端側（エクステンションプレートに対する支持側）付近に傾斜カム部が設けられているため、ガイドピンが送り孔における傾斜カム部内を移動する際、双方のカム作用により、エクステンションプレートの引き出し操作に連動して、サブプレートが上方に向けて回動する。
【００１６】
従って、本願発明によれば、エクステンションユニットにおけるケースからエクステンションプレートを外方に引き出し操作すれば、サブプレートもエクステンションプレートと一体に引き出され、更に、ケース内面に設けたガイドピンがサブプレートの送り孔に沿って移動するとともに、送り孔後端部に設けた傾斜カム部をガイドピンが通過することで、双方のカム作用によりサブプレートは天井側に向けて回動し、エクステンションプレートと天井との間の隙間をサブプレートにより遮蔽することができる。
【００１７】
次いで、本発明の別の実施形態は、前記サブプレートの裏面には、送り孔と連通するガイド溝部が後部端末側に向けて設けられ、このガイド溝部を通してガイドピンをサブプレートの送り孔内に挿入操作することにより、サンバイザ本体に予め組み込んだケース内にエクステンションプレートとサブプレートとを挿入可能としたことを特徴とする。
【００１８】
従って、サンバイザ本体にエクステンションユニットを組み付ける際、エクステンションユニットにおけるケースをサンバイザ本体に組み込んで、その後、ケース内にエクステンションプレートとサブプレートを重ね合わせてケース内に挿入すれば、エクステンションユニットの組み付けを簡単かつ廉価に行なうことができる。
【００１９】
また、本実施形態における好ましい実施態様としては、エクステンションプレートの引き出し操作時、サブプレートに設けた送り孔からガイドピンがガイド溝部を通して外部に脱落するのを防止するために、ガイド溝部の送り孔側端末にガイドピンの脱落を規制する折曲片を設けるのが良く、また、ケース内にエクステンションプレートとサブプレートの挿入操作を円滑に行なうために、ガイドピンにテーパー状のガイド面を形成したり、あるいは上記折曲片やガイドピンが撓み変形可能な構成を採用すれば、エクステンションプレート及びサブプレートの挿入作業を円滑に進めることができる。
【００２０】
【発明の実施の形態】
以下、本発明に係るエクステンションユニット付きサンバイザの好適な実施の形態について、添付図面を参照しながら詳細に説明する。
【００２１】
図１乃至図９は本発明に係るエクステンションユニット付きサンバイザの第１実施形態を示すもので、図１はエクステンションユニット付きサンバイザをサイドウインドウ側に展開した状態を示す正面図、図２は同エクステンションユニット付きサンバイザにおけるエクステンションユニットの構成を示す分解図、図３は同エクステンションユニットにおけるエクステンションプレートとサブプレートとの支持構造を示す断面図、図４は同エクステンションユニットにおけるエクステンションプレートの引き出し完了時の状態を示す断面図、図５乃至図７は同エクステンションユニット付きサンバイザにおけるエクステンションプレートの引き出し操作を示すもので、図５は引き出し前の状態、図６は引き出し途中の状態、図７は引き出し完了時の状態を示すそれぞれ説明図、図８，図９は同エクステンションユニット付きサンバイザの変形例でありサブプレートに設けた送り孔の変形例を示す各説明図である。
【００２２】
更に、図１０乃至図１９は本発明に係るエクステンションユニット付きサンバイザの第２実施形態を示すもので、図１０は同エクステンションユニットにおけるサブプレートを示す正面図、図１１は同エクステンションユニットにおけるケース内にエクステンションプレートとサブプレートを挿入する状態を示す説明図、図１２は同エクステンションユニットにおけるケース内にエクステンションプレートとサブプレートを挿入する状態を示すサブプレートの変形例を示す説明図、図１３はサブプレートの変形例を示す正面図、図１４は図１３に示すサブプレートにおけるガイド溝部の拡大図、図１５はサブプレートの変形例を示す説明図、図１６は図１５に示すサブプレートの斜視図、図１７乃至図１９はケース内に挿入するエクステンションプレート及びサブプレートの挿入操作を円滑にするための各変形例の説明図である。
【００２３】
まず、図１乃至図１０に基づいて、本発明の第１実施形態について説明する。図面において、本発明に係るエクステンションユニット付きサンバイザ１０は、所望の遮光面積を有するサンバイザ本体２０と、このサンバイザ本体２０に内装されるエクステンションユニット３０とから大略構成されている。
【００２４】
更に詳しくは、サンバイザ本体２０は、Ｌ字状の回動用シャフト２１により回動可能に支承され、この回動用シャフト２１はブラケット２２に挿通され、ブラケット２２を車体天井側にビス等により取付固定することにより、サンバイザ本体２０が車体側に取り付けられている。
【００２５】
従って、サンバイザ本体２０を回動用シャフト２１の軸廻りに回動操作することにより、サンバイザ本体２０を上下方向に回動操作できるとともに、回動用シャフト２１をブラケット２２廻りに回動操作することにより、左右方向、すなわちフロントウインドウ側とサイドウインドウ側からの遮光機能が得られる。
【００２６】
図１はサンバイザ本体２０を下方向に回動操作した後、サイドウインドウ側に旋回した状態を示す正面図である。また、図示はしないが、サンバイザ本体２０は、サンバイザコアの外表面をサンバイザ表皮により被包して構成され、サンバイザコアとしては、ＰＰ樹脂など、汎用の合成樹脂の射出成形体や、ＰＰビーズ発泡成形体等が使用でき、サンバイザ表皮は、織布、不織布、合成樹脂シート等が使用できる。本実施形態では、エクステンションユニット３０は、ＰＰビーズ発泡成形体からなるサンバイザコアに設けた格納凹部２３内に収容された後、サンバイザ表皮により被包して構成されている。
【００２７】
次いで、エクステンションユニット３０の構成について図２乃至図４を基に説明する。エクステンションユニット３０は、偏平状のケース３１（上面側ケース３１ａと下面側ケース３１ｂの内面同士を向き合わせて、双方のフランジを超音波溶着等により接合して偏平中空状のケース３１を構成する）と、ケース３１内部に引き出し自在に収容される略矩形状のエクステンションプレート３２と、エクステンションプレート３２の裏面側に重ね合わされ、回動自在に支持されるサブプレート３３とから大略構成されている。上記ケース３１、エクステンションプレート３２及びサブプレート３３は、いずれもＰＰ等の汎用の合成樹脂の射出成形体から構成されている。尚、サンバイザコアとして、合成樹脂の射出成形体を使用する場合には、上記ケース３１をサンバイザコア内面に一体形成しても良い。
【００２８】
そして、エクステンションプレート３２の裏面側にサブプレート３３が重ね合わされ、サブプレート３３の軸支ピン３３ａがエクステンションプレート３２の孔３２ａ内に挿入され、この軸支ピン３３ａを中心として、サブプレート３３はエクステンションプレート３２の下面側で回動自在に支持されている（図３参照）。
【００２９】
更に詳しくは、ケース３１に収容されるエクステンションプレート３２は、引き出しストロークを規制するストッパー片３４ａが表面側から切り起こし形成され、上面側のケース３１ａの開口近くには、ストッパー片３４ａと突き当る受け用突起３４ｂが形成されている（図４参照）。
【００３０】
更に、ケース３１（特に下面側のケース３１ｂ）とサブプレート３３との関係について以下に説明する。まず、下面側のケース３１ｂの内面にガイドピン３５が突設されているとともに、サブプレート３３には、エクステンションプレート３２の引き出し方向に沿って延びる長孔状の送り孔３６が開設されている。そして、この送り孔３６は、ガイドピン３５がこの送り孔３６に沿って移動可能なようにガイドピン３５の径よりやや大きな幅を備え、送り孔３６の両端末（引き出し端側を前端、その反対側を後端）とした場合、送り孔３６の後端側は、下方に湾曲状にカーブする傾斜カム部３６ａが設けられている。
【００３１】
また、ケース３１の入口側は、ガーニッシュ３７が取り付けられ、ガーニッシュ３７は、エクステンションプレート３２を引き出すための開口３７ａを備えるとともに、サンバイザ本体２０の表面側にこのガーニッシュ３７が露出する構成となっている。
【００３２】
そして、ケース３１からエクステンションプレート３２及びサブプレート３３を外方に向けて引き出す際、下面側のケース３１ｂに設けたガイドピン３５が送り孔３６の直線部分を摺動する時は、サブプレート３３はエクステンションプレート３２と一体にスライドするが、エクステンションプレート３２の引き出し完了時には、ガイドピン３５が送り孔３６の傾斜カム部３６ａに到達するため、双方の間でカム作用が生じ、エクステンションプレート３２に対してサブプレート３３が回動することになる。
【００３３】
このことにより、サブプレート３３が従来の隙間（エクステンションプレート３２の上縁部上方に生じる隙間）を埋めるように天井側に立ち上がり動作することが特徴である。尚、サンバイザ本体２０に対するエクステンションユニット３０の組み付け構造は、下面側のケース３１ｂの内面にエクステンションプレート３２とサブプレート３３をサブプレート３３が下面側のケース３１ｂと対向するように内部に収容する。
【００３４】
このとき、エクステンションプレート３２の孔３２ａ内にサブプレート３３の軸支ピン３３ａが挿入され、カシメ加工されているとともに、サブプレート３３の送り孔３６内に下面側のケース３１ｂのガイドピン３５を挿入するようにセットされる。
【００３５】
その後、下面側のケース３１ｂに対して上面側のケース３１ａを双方の内面側を向き合わせてフランジ間を超音波溶着等により接合固着することで、エクステンションユニット３０を製作し、サンバイザ本体２０におけるサンバイザコアの格納凹部２３内にエクステンションユニット３０をセットした後、サンバイザコアの外表面をサンバイザ表皮により被包してサンバイザ本体２０を製造する。
【００３６】
このとき、エクステンションユニット３０におけるエクステンションプレート３２の引き出し端は、予めサンバイザ表皮に切欠きが設けられており、サンバイザ表皮で被包した後、ガーニッシュ３７をエクステンションユニット３０におけるケース３１の開口に嵌め込むことにより、サンバイザ本体２０に対してエクステンションユニット３０の組み付けを完了する。
【００３７】
次に、図５乃至図７に基づいて、本実施形態におけるエクステンションユニット付きサンバイザ１０におけるエクステンションユニット３０の動作説明を行なう。
【００３８】
図５は、エクステンションユニット３０のケース３１内部にエクステンションプレート３２及びサブプレート３３が収容されている状態である。そして、サンバイザ本体２０の表面には、ガーニッシュ３７が露出しており、ガーニッシュ３７の開口３７ａを通してエクステンションプレート３２の引き出し端３２ｂが臨んでいる。
【００３９】
まず、図５に示すように、サンバイザ本体２０をサイドウインドウ側に展開操作した後、遮光面積を拡大させるためには、このエクステンションプレート３２の引き出し端３２ｂを図５中矢印方向に沿って、図示しないセンターピラー側に向けて引き出し操作する。
【００４０】
図６は、エクステンションプレート３２の引き出し途中状態を示すもので、エクステンションプレート３２を引き出せば、エクステンションプレート３２の裏面側に支持されているサブプレート３３も同時に外方に引き出される。
【００４１】
このとき、サブプレート３３は、エクステンションプレート３２の引き出し操作に連繋して、サブプレート３３の送り孔３６内に下面側のケース３１ｂに設けたガイドピン３５が摺接することで、エクステンションプレート３２及びサブプレート３３は上下方向にガタツクことがなく、円滑にスライド操作することができる。
【００４２】
次いで、図７に示すように、エクステンションプレート３２の引き出し操作が完了する間際には、下面側のケース３１ｂに突設したガイドピン３５がサブプレート３３における送り孔３６の傾斜カム部３６ａを通過し、このとき、傾斜カム部３６ａにガイドピン３５が移動することで、サブプレート３３は軸支ピン３３ａを中心にして図７中反時計廻り方向に回動することで、エクステンションプレート３２と天井との間の隙間を埋めるように回動する。
【００４３】
このように、本発明に係る第１実施形態においては、エクステンションプレート３２の引き出し操作と連繋して、サブプレート３３が従来のスキを埋めるように回動することで、遮光範囲を拡大することができ、安全走行に大きく貢献することができる。
【００４４】
更に、図８，図９は、第１実施形態の変形例を示すもので、サブプレート３３の円滑な動作を図るために、サブプレート３３の送り孔３６の前端３６ｂ、あるいは後端３６ｃでガイドピン３５が確実に保持される構成が開示されている。図９では、送り孔３６の前端３６ｂのみについて説明するが、図９（ａ）に示すように、送り孔３６の片側に突片３６ｄを突設するか、あるいは図９（ｂ）に示すように、両側から突片３６ｄを設け、送り孔３６の前端３６ｂ、あるいは後端３６ｃでガイドピン３５を確実にロックすることで、サブプレート３３の確実な保持を図ることができる。
【００４５】
次に、図１０乃至図１９は、本発明の第２実施形態を示すもので、この第２実施形態においては、エクステンションユニット３０の組み付け操作を簡素化することで、製作コストを低減できる。尚、第１実施形態と同一部分には同一符号を付し、その詳細な説明は省略する。
【００４６】
そして、この第２実施形態においては、第１実施形態と変更されている点はサブプレート３３の構成である。すなわち、図１０に示すように、サブプレート３３は、引き出し方向に沿って延びる細長状の送り孔３６が開設されており、この送り孔３６を後端側で下方向に湾曲状に傾斜カム部３６ａが形成されているが、この第２実施形態においては、送り孔３６の直線部分の延長線上には、サブプレート３３の裏面側に肉抜きを施したガイド溝部３８が形成されている。
【００４７】
すなわち、図１１に示すように、下面側ケース３１ｂと上面側ケース３１ａを予め接合して、ケース３１を形成し、サンバイザ本体２０側に組み込んだケース３１内部にエクステンションプレート３２及びサブプレート３３を挿入する際、下面側ケース３１ｂの内面に突設したガイドピン３５との干渉を避け、かつサブプレート３３の送り孔３６内にこのガイドピン３５を案内させることが必要である。
【００４８】
そのために、送り孔３６とサブプレート３３の後端との間に形成したガイド溝部３８を送り孔３６の直線部分の延長線上に設けることにより、ガイドピン３５が送り孔３６内に円滑に収容される。このガイド溝部３８は、サブプレート３３の後端側端末近くで溝深さが深くなるようなテーパー状に設定されているのが好ましい。
【００４９】
また、サブプレート３３がガイドピン３５に乗り上げ易いように、ガイドピン３５の前部側にＲ加工を施したガイド面３５ａを形成すれば、サブプレート３３の挿入作業性を向上させることができる。更に、図１２に示すように、ガイド溝部３８の後端側は、突起３８ｂにより一旦ガイドピン３５を送り孔３６に収容した後は、ガイドピン３５が送り孔３６から脱落するのを規制できる。
【００５０】
従って、以上のように、サブプレート３３における送り孔３６の直線部分の延長線上にガイド溝部３８を形成することで、以下のエクステンションユニット３０の組み付けが可能となる。
【００５１】
すなわち、上面側ケース３１ａと下面側ケース３１ｂとを接合して、ケース３１を作製し、ケース３１をサンバイザコアの格納凹部２３内にセットし、サンバイザ表皮により被包することで、予めケース３１をサンバイザ本体２０に一体化する。
【００５２】
次いで、ケース３１内部に上述したようにエクステンションプレート３２とサブプレート３３をサブプレート３３に設けたガイド溝部３８を利用して挿入し、その後、ケース３１の入口部分にガーニッシュ３７を差し込み、エクステンションユニット３０をサンバイザ本体２０に組み付ける作業を完了させる。
【００５３】
従って、ケース３１単体をサンバイザ本体２０に前もって組み付けることで、第１実施形態に比べ、エクステンションユニット３０の組み付け作業を簡素化できる利点がある。
【００５４】
また、図１３乃至図１９は、第２実施形態の変形例を示すもので、例えば、図１３，図１４に示すように、サブプレート３３に形成するガイド溝部３８の入口部分をガイド溝部３８の溝幅ｂに対して入口部の幅ａを幅広に設定しておけば、サブプレート３３をケース３１内に挿入する際の作業性を高めることができるとともに、図１５，図１６に示すように、ガイド溝部３８における送り孔３６側の端末に折曲片３９を形成し、この折曲片３９を図１５中矢印方向に撓み変形可能に構成する。
【００５５】
従って、ケース３１内にエクステンションプレート３２とサブプレート３３とを挿入する際、ガイドピン３５はサブプレート３３のガイド溝部３８を通過し、最終的に折曲片３９を内方に撓ませながら乗り上げて、送り孔３６内に収容されるが、折曲片３９により送り孔３６からガイドピン３５が脱落するのを未然に防止できるとともに、折曲片３９のクリック作用により、作業完了を確認することができるという利点がある。
【００５６】
更に、図１７に示すように、折曲片３９を撓み変形させる際、撓み変形量を確保するために、エクステンションプレート３２に凹部３９ａを設けるのが良く、また、図１８，図１９に示すように、サブプレート３３に設ける折曲片３９に替えて、下面側のケース３１ｂの内面に突設するガイドピン３５の周囲にコ字状スリット３５ｂを開設し、ガイドピン３５と周囲のフランジ３５ｃを下面側に撓み変形させることで、サブプレート３３をケース３１内に挿入する際の作業性を円滑にすることもできる。
【００５７】
【発明の効果】
以上説明した通り、本発明に係るエクステンションユニット付きサンバイザは、ケース内に引き出し自在なエクステンションプレートと、このエクステンションプレートの引き出し操作に連繋して回動するサブプレートを収容し、エクステンションプレートの引き出し操作により、遮光面積の拡大を図るとともに、サブプレートとケースとの間のカム作用によりエクステンションプレートに対してサブプレートが上方に回動し、エクステンションプレートの上部側を更に遮光することで、より遮光面積を拡大させることができるため、本来遮蔽が困難であったエクステンションプレート上方部分をサブプレートで遮蔽することができることから、安全走行に大きく貢献できるという効果を有する。
【００５８】
更に、本発明に係るエクステンションユニット付きサンバイザは、ケースに設けたガイドピンとサブプレートに設けた送り孔との間のカム作用により、エクステンションプレートの引き出し操作に連動して、サブプレートが回動して、遮光面積の拡大を図るという構成を採用するとともに、特に、サブプレートの送り孔に連接してガイド溝部を形成することで、サンバイザ本体内部にケースを組み込んでサンバイザ本体を作製した後、サンバイザ本体に取り付けたケース内部にエクステンションプレートとサブプレートをサブプレートのガイド溝部を利用して挿入することができるため、エクステンションユニットの組み付け作業性を簡単かつ廉価に行なえ、また、送り孔の傾斜カム部形状を変更した仕様違いのサブプレートを互換でき、機能性を高めることができるという効果を有する。
【図面の簡単な説明】
【図１】本発明に係るエクステンションユニット付きサンバイザの第１実施形態におけるエクステンションプレートの収納状態を示す正面図である。
【図２】図１に示すエクステンションユニット付きサンバイザにおけるエクステンションユニットの構成を示す分解図である。
【図３】図１に示すエクステンションユニット付きサンバイザにおけるエクステンションプレートとサブプレートとの関係を示す断面図である。
【図４】図１に示すエクステンションユニット付きサンバイザにおけるエクステンションユニットのストッパー部の構成を示す断面図である。
【図５】図１に示すエクステンションユニット付きサンバイザにおけるエクステンションプレートの引き出し前の状態を示す説明図である。
【図６】図１に示すエクステンションユニット付きサンバイザにおけるエクステンションプレートの引き出し途中の状態を示す説明図である。
【図７】図１に示すエクステンションユニット付きサンバイザにおけるエクステンションプレートの引き出し操作並びにサブプレートの回動操作を示す説明図である。
【図８】図１に示すエクステンションユニット付きサンバイザにおけるサブプレートの送り孔の変形例を示す正面図である。
【図９】図８に示すエクステンションユニットにおける送り孔の端末部分の構成を示す説明図である。
【図１０】本発明に係るエクステンションユニット付きサンバイザの第２実施形態に使用するサブプレートを示す正面図である。
【図１１】図１０に示すサブプレートをケースに挿入する状態を示す説明図である。
【図１２】図１１に示す構造の変形例を示す断面図である。
【図１３】本発明に係るエクステンションユニット付きサンバイザの第２実施形態におけるサブプレートの変形例を示す正面図である。
【図１４】図１３に示すサブプレートの要部拡大図である。
【図１５】本発明に係るエクステンションユニット付きサンバイザの第２実施形態におけるサブプレートの変形例を示すもので、ケースに挿入する状態を示す説明図である。
【図１６】図１５に示すサブプレートの要部斜視図である。
【図１７】本発明に係るエクステンションユニット付きサンバイザの第２実施形態におけるサブプレートの変形例を示す断面図である。
【図１８】本発明に係るエクステンションユニット付きサンバイザの第２実施形態におけるガイドピンの変形例を示す断面図である。
【図１９】図１８に示すガイドピン付近を示す斜視図である。
【図２０】従来のエクステンションユニット付きサンバイザを示す正面図である。
【図２１】従来のエクステンションユニット付きサンバイザにおけるエクステンションプレートを引き出した状態を示す説明図である。
【符号の説明】
１０  エクステンションユニット付きサンバイザ
２０  サンバイザ本体
２１  回動用シャフト
２２  ブラケット
２３  格納凹部
３０  エクステンションユニット
３１  ケース
３１ａ  上面側ケース
３１ｂ  下面側ケース
３２  エクステンションプレート
３２ａ  孔
３２ｂ  引き出し端
３３  サブプレート
３３ａ  軸支ピン
３４ａ  ストッパー片
３４ｂ  受け用突起
３５  ガイドピン
３６  送り孔
３６ａ  傾斜カム部
３７  ガーニッシュ
３８  ガイド溝部
３９  折曲片
【図１】
2004161149.tif 000003
【図２】
2004161149.tif 000004
【図３】
2004161149.tif 000005
【図４】
2004161149.tif 000006
【図５】
2004161149.tif 000007
【図６】
2004161149.tif 000008
【図７】
2004161149.tif 000009
【図８】
2004161149.tif 000010
【図９】
2004161149.tif 000011
【図１０】
2004161149.tif 000012
【図１１】
2004161149.tif 000013
【図１２】
2004161149.tif 000014
【図１３】
2004161149.tif 000015
【図１４】
2004161149.tif 000016
【図１５】
2004161149.tif 000017
【図１６】
2004161149.tif 000018
【図１７】
2004161149.tif 000019
【図１８】
2004161149.tif 000020
【図１９】
2004161149.tif 000021
【図２０】
2004161149.tif 000022
【図２１】
2004161149.tif 000023